【事件の表示】
　特許第２９１６１３０号「化粧シート」の特許に対する特許異議の申立てについて、次のとおり決定する。
【結　論】
　特許第２９１６１３０号の特許を維持する。
【理　由】
１．手続の経緯
　特許第２９１６１３０号の請求項１に係る発明についての出願は、平成１０年２月５日に特許出願され、平成１１年４月１６日にその特許の設定登録がなされ、その後、凸版印刷株式会社より特許異議の申立てがなされたものである。
　
２．特許異議申立てについての判断
（１）申立ての理由の概要
　申立人凸版印刷株式会社は、請求項１に係る発明は、甲第１号証（特開平８−２６７６８２号公報）、甲第２号証（特開平８−２２４７９６号公報）、甲第３号証（吉田豊彦他編「塗装の辞典」（１９８０年４月３０日、朝倉書店発行）第１５頁）及び甲第４号証（特開平８−９０７４０号公報）に記載された発明に基づいて容易に発明をすることができたものであり、特許法第２９条第２項の規定により、特許を受けることができないものであるから、本件請求項１に係る発明の特許を取り消すべきと主張している。
　
（２）請求項１に係る発明
　本件請求項１に係る発明（以下、「本件発明」という。）は、その特許明細書の特許請求の範囲請求項１に記載された次の事項により特定されるとおりのものである。
「主原料がポリプロピレン、エラストマー、着色剤、及び無機充填剤からなる基材シートとしての着色フィルム上に、表面シートとして、分子中に水酸基を有する有機系紫外線吸収剤を添加したエチレン−プロピレン−ブテン共重合体からなる熱可塑性エラストマーの無色又は着色透明な樹脂フィルムを積層し、かつ、該表面シートの表面に、イソシアネート基を有する樹脂からなる上塗り塗膜を積層し、そして、必要に応じて基材シート又は表面シートのいずれか又は両方に模様を施してなる化粧シート。」
　
（３）甲各号証記載の発明について
　甲第１号証（特開平８−２６７６８２号公報）には、「無機粉末を含んだポリプロピレンよりなる基層の表面に、光安定剤を含み無機粉末を実質的に含まないポリプロピレンよりなる透光性の表面層を積層一体化したことを特徴とするポリプロピレンシート。」（第２頁左欄第２行〜第５行）、「基層１及び表面層２を構成するポリプロピレンとしては、プロピレンのホモポリマー、エチレン−プロピレン共重合体、エチレン−ブテン１−プロピレン三元共重合体、或はこれらのポリプロピレンに他のオレフィン系樹脂を混合して含有させたものなど、種々のタイプのポリプロピレンを使用できるが、この中では、柔軟性や伸びが良好なエチレン−プロピレン共重合体、エチレン−ブテン１−プロピレン三元共重合体、若しくはホモポリマーにポリエチレンやボリプテン等のオレフィン樹脂を１〜１０重量％混合したものが好ましく使用される。特に、無機粉末を含む基層１は、無機粉末を含まない表面層２よりも脆弱で、曲げストレスが加わったときに白化しやすいため、上記の共重合体を使用したりオレフィン樹脂を含有させて柔軟性や伸びを向上させることが望ましく、更に熱可塑性エラストマ−を配合して柔軟性や伸びを一層向上させることが極めて望ましい。」（第３頁左欄第２７行〜第４２行）、「基層１に含有させる無機粉末３としては、酸化チタン、夕ルク、炭酸カルシウム、酸化アルミニウム、酸化マグネシウム、合成シリカ等の粉末が使用される。これらの無機粉末の中でも酸化チタンが隠蔽性に優れていて好ましく用いられる。」（第３頁右欄第２１行〜第２５行）、「表面層２に含有させる光安定剤としては、紫外線を吸収するベンゾトリアゾール系、ベンゾフェノン系などの紫外線吸収剤や、ラジカルを捕捉してポリプロピレンの分解を抑制するＨＡＬＳ（ヒンダードアミン系光安定剤）などが使用される。」（第３頁右欄第３５行〜第３９行）、「以上のような構成のポリプロピレンシートは、無機粉末３を含む基層１が不透明で隠蔽性を有するため、例えば、図１に一点鎖線で示すように表面層２上に印刷４を施して合板等の表面にラミネートすると、不透明な基層１によって合板等が隠蔽され、表面の印刷４を明瞭に視認することができる。」（第４頁左欄第３３行〜第３８行）、及び、「なお、表１の表面層フィルム及び基層フィルムの組成において、ＨＯＭＯはプロピレンのホモポリマー（旭化成工業（株）製）を、ＲＣはエチレン−プロピレンランダム共重合体（三井東圧化学（株）製）を、ＴＣはエチレン−ブテン１−プロピレン三元共重合体（三井東圧化学（株）製）を、エラストマ−はスチレンブタジエンラバー（日本合成ゴム（株）製）を、ポリエチレンは出光石油化学（株）製のものを、紫外線吸収剤はベンゾトリアゾール系紫外線吸収剤（城北化学工業（株）製）を、無機粉末は酸化チタン粉末（城北化学工業（株）製）を使用した。」（第４頁右欄第２８行〜第３８行）と記載されている。そして、【表１】（第５頁）には、「実施例」及び「表面層フィルム（組成）」、「ＨＯＭＯ（部）」、「ＲＣ（部）」、「ＴＣ（部）」、「エラストマー（部）」、「紫外線吸収剤（部）」、並びに、「基層フィルム（組成）」、「ＨＯＭＯ（部）」、「ＲＣ（部）」、「ＴＣ（部）」、「エラストマー（部）」、「紫外線吸収剤（部）」、「無機粉末（部）」と記載され、「表面層フィルム（組成）」及び「基層フィルム（組成）」の各組成値が記載されている。
　
　また、甲第２号証（特開平８−２２４７９６号号公報）には、「ポリオレフィン系樹脂としてプロピレン１００重量％に低密度ポリエチレンを１５重量％含有したものを用い、これにフェノール系酸化防止剤を０．２重量％、ヒンダードアミン系光安定剤を０．３重量％、ベンゾトリアゾール系紫外線吸収剤を０．５重量％、ブロッキング防止剤を０．２重量％、１０％濃度の着色剤（顔料）がはいったマスターバッチを１０重量％添加した樹脂を押し出し機により押し出しながらオゾンガス（オゾン濃度４０ｇ／Ｎｍ３、オゾン流量４Ｎｍ３／ｈ（２５０ｍｍ））を吹きつけ、セミマットエンボスの施された冷却ロールとタッチロールの間に押し出し、厚み９０μｍのセミマットシートを得た。これにグラビア印刷法により２液硬化べタインキでべ夕印刷したあと、木目模様を「ラミス夕−」（東洋インキ製造（株）製）を使用して印刷し、導管柄を２液の樹脂吸収性ウレタンマット着色インキ（東洋インキ製造（株）製）で印刷し、全面に２液ウレタングロス樹脂を印刷して導管柄状の樹脂を吸収させ、施された導管柄が忠実に同調して再現しており、本物の木材に近い雰囲気を再現した化粧シートを得た。」（第３頁左欄第２６行〜石欄第１行）と記載されている。
　
　また、甲第３号証（吉田豊彦他編「塗装の辞典」（１９８０年４月３０日、朝倉書店発行）第１５頁）には、「２液形ポリウレタン樹脂塗料（Ｄ／Ｄラッカー）イソシアネート基（−ＮＣＯ）を多数もつイソシアネート化合物溶液と、ＯＨ基を多数もつポリエステルプレポリマー溶液とを、塗装直前に混合して塗装する２液形塗料。ＮＣＯ基とＯＨ基が橋かけ反応してウレタン結合を生じる。　　　　　　　　　　
　　　　　　　　　　　　　　　　　　　　　　　　Ｏ
　　　　　　　　　　　　　　　　　　　　　　　　‖
　　　　　Ｒ−ＮＣＯ＋ＨＯ−Ｒ’　→　Ｒ−ＮＨ−Ｃ−Ｏ−Ｒ’
　付着性、耐薬品性、耐摩耗性にすぐれ、速乾性である。ＮＣＯ基は湿気の影響を受けやすいので、この種塗料に用いる溶剤類は水分を除去しアルコ−ル類は用いない。塗装にあたっても水分に十分注意する必要がある。」（第１５頁第１７行〜第２４行）と記載されている。
　
　また、甲第４号証（特開平８−９０７４０号）には、「ランダム重合ポリプロピレンに、無機顔料を６重量％、フェノール系酸化防止剤を０．２重量％、ヒンダードアミン系光安定剤を０．３重量％、ブロッキング防止剤を０．２重量％添加して得た樹脂を溶融押し出し法によりＴダイ（２０）より押し出し、基材シート（１１）を作製した。この基材シート（１１）の片面に、コロナ処理を施した後グラビア印刷法により、絵柄インキ（東洋インキ製造株式会社製　ラミス夕−）（１２）を使用して木目模様を施した。ついで、この上にグラビア印刷法により、ウレタン系アンカー剤（東洋インキ製造株式会社製　ＡＤ−５０２）（１３）を乾燥厚で５μｍ塗布して、印刷・接着剤を塗工した基材シート（１９）を得た。ランダム重合ポリプロピレンに、低密度ポリエチレンを１５重量％、フェノール系酸化防止剤を０．２重量％、ヒンダードアミン系光安定剤を０．３重量％、ベンゾトリアゾール系紫外線吸収剤を０．５重量％、ブロッキング防止剤を０．２重量％添加して得た樹脂を、導管エンボスの施された冷却ロール（２１）と加圧ロール（２２）の間に、前記印刷・接着剤を塗工した基材シート（１９）を介して、溶融押し出し法によりＴダイ（２０）より押し出し、エンボス加工と貼り合わせ加工とを同時に行い、ワイピング加工とトップコート加工の施されていない化粧シートを得た。（図２参照）このエンボスされた化粧シートのエンボス面にワイピングインキ（１６）を埋め込み、さらに表面物性、艶調整のためウレタン系トップコートを施し（１７）化粧シート（１０）を得た。」（第４頁左欄第３７行〜右欄第１６行）と記載されている。
　
（４）対比・判断
　本件発明は、上記のとおり、「主原料がポリプロピレン、エラストマー、着色剤、及び無機充填剤からなる基材シートとしての着色フィルム」上に、「表面シートとして、分子中に水酸基を有する有機系紫外線吸収剤を添加したエチレン−プロピレン−ブテン共重合体からなる熱可塑性エラストマーの無色又は着色透明な樹脂フィルム」を積層することを構成要件とするものであるところ、これに対して、申立人は、本件発明と上記甲第１号証記載の発明とを対比し、「ポリプロピレン、熱可塑性エラストマ、及び無機粉末を含む基層の表面に、光安定剤を含むポリプロピレンからなる透光性表面層を積層して化粧シートを製造すること、表面層用ポリプロピレンポリプロピレンとしてエチレン−ブテン１−プロピレン共重合体を用いること（略）」（本件特許異議申立書第７頁１９〜２５行、なお、前記「表面層用ポリプロピレンポリプロピレン」は誤記と認められる。）の点は、一致点である旨、主張している。
　しかし、上記甲第１号証には、上記のとおり「基層１及び表面層２を構成するポリプロピレンとしては、プロピレンのホモポリマー、エチレン−プロピレン共重合体、エチレン−ブテン１−プロピレン三元共重合体、或はこれらのポリプロピレンに他のオレフィン系樹脂を混合して含有させたものなど、種々のタイプのポリプロピレンを使用できるが、この中では、柔軟性や伸びが良好なエチレン−プロピレン共重合体、エチレン−ブテン１−プロピレン三元共重合体、若しくはホモポリマーにポリエチレンやボリプテン等のオレフィン樹脂を１〜１０重量％混合したものが好ましく使用される。」と記載されているのみであり、且つ、上記【表１】の実施例をみるに、「表面層フィルム（組成）」（以下、「Ａ層」という。）及び「基層フィルム（組成）」（以下、「Ｂ層」という。）の構成ポリマーに係る組み合わせは、次のとおりである。
　
・実施例１：Ａ層＝Ｂ層＝プロピレンホモポリマー（ＨＯＭＯ）
・実施例２：Ａ層＝Ｂ層＝エチレン−プロピレンランダム共重合体（ＲＣ）
・実施例３：Ａ層＝Ｂ層＝エチレン−ブテン１−プロピレン三元共重合体（ＴＣ）
・実施例４：Ａ層＝プロピレンホモポリマー（ＨＯＭＯ）、Ｂ層＝プロピレンホモポリマー（ＨＯＭＯ）９５部＋ポリエチレン５部
・実施例５＝実施例８：Ａ層＝エチレン−プロピレンランダム共重合体（ＲＣ）、Ｂ層＝エチレン−プロピレンランダム共重合体（ＲＣ）９５部＋エラストマー５部
・実施例６：Ａ層＝エチレン−プロピレンランダム共重合体（ＲＣ）、Ｂ層＝エチレン−プロピレンランダム共重合体（ＲＣ）８５部＋エラストマー１５部
・実施例７：Ａ層＝エチレン−プロピレンランダム共重合体（ＲＣ）９５部＋エラストマー５部、Ｂ層＝エチレン−プロピレンランダム共重合体（ＲＣ）９５部＋エラストマー５部
　
　してみると、上記甲第１号証には、「主原料がポリプロピレン、エラストマー（略）からなる基材シート」及び「表面シートとして（略）エチレン−プロピレン−ブテン共重合体からなる熱可塑性エラストマーの無色又は着色透明な樹脂フィルム」を組み合わせて積層する点は、何ら具体的には記載されておらず、また、その動機付けについても何ら示唆はないとするのが適切であると認める。
　従って、申立人の上記甲第１号証記載の発明と本件発明との「一致点」に係る上記認定は誤りであるといわざるを得ない。
　また、他の上記甲第２〜４号証記載の発明を検討しても、本件発明に係る化粧シートが、当業者が上記各号証に記載の発明に基づいて容易に発明をすることができたものであるとはいえない。
　更に、本件特許明細書の記載に徴し、本件発明では、上記「主原料がポリプロピレン、エラストマー（略）からなる基材シート」及び「表面シートとして（略）エチレン−プロピレン−ブテン共重合体からなる熱可塑性エラストマーの無色又は着色透明な樹脂フィルム」の積層の結果、熱成形性、耐クリープ変形性、耐寒折り曲げ強度、耐有機溶剤性、破断時伸度・耐衝撃強度、適度な曲げ弾性率、透明性、エンボス加工等に伴う白化・濁りの発生防止、及び、耐候性という建築物の内外装用等に用いられる表面化粧シートに要求される機能を達成し得たとの作用・効果を奏するものであると認められる。　
　
３．以上のとおりであるから、特許異議申立ての理由及び証拠によっては、本件発明の特許を取り消すことはできない。
　また、他に本件特許を取り消すべき理由を発見しない。
　よって、結論のとおり決定する。
【異議決定日】
平成１２年５月３０日（２０００．５．３０）